(57)【要約】【課題】手動両面印刷中に紙詰りを生じた場合でも、紙詰りに対処した両面印刷を容易に行うことができる印刷方法、印刷システム、印刷装置、印刷制御装置、ドライバプログラム及びそのプログラムを記憶した記録媒体を提供すること。【解決手段】手動両面印刷の２パス目の印刷中に紙詰りを生じた場合、紙詰りが解消されて印刷可能な状態になると、紙詰りを生じた用紙への１パス目の印刷内容の印刷データをホストコンピュータに要求し（ステップＳ２２０）、受け取った印刷データにより新たな用紙に再印刷する（ステップＳ２３５）。そして、ユーザに再印刷済みの用紙をＭＰトレイにセットさせ（ステップＳ２４０）、２パス目の印刷を再開する（ステップＳ２４５）。【選択図】図６
2007307850.tif 000002
【特許請求の範囲】
【請求項１】
１又は複数の用紙の片面に行う印刷が完了してから、ユーザが片面印刷済みの用紙を給
紙口にセットし、前記給紙口にセットされた用紙の他面に印刷する手動両面印刷の印刷方
法であって、
前記給紙口にセットされた用紙を給紙し、当該給紙した用紙の他面に印刷してから印刷
済みの用紙を排紙する他面への印刷処理を、前記給紙口にセットされた用紙に対して順次
実行する第１の印刷工程と、
前記用紙の紙詰りを検出する検出工程と、
前記他面への印刷処理の実行中に紙詰りが検出された場合に、前記紙詰りを生じた用紙
の片面への印刷内容を新たな用紙に再印刷し、当該再印刷した用紙を含む片面印刷済みの
用紙に対して前記他面への印刷処理を順次実行する第２の印刷工程とを備えることを特徴
とする手動両面印刷の印刷方法。
【請求項２】
１又は複数の用紙の片面に行う印刷が完了してから、ユーザが片面印刷済みの用紙を給
紙口にセットし、前記給紙口にセットされた用紙の他面に印刷する手動両面印刷を行う印
刷装置であって、
前記給紙口にセットされた用紙を給紙し、当該給紙した用紙の他面に印刷してから印刷
済みの用紙を排紙する他面への印刷処理を、前記給紙口にセットされた用紙に対して順次
実行する印刷手段と、
前記印刷手段における前記用紙の紙詰りを検出する検出手段と、を備え、
前記印刷手段は、前記他面への印刷処理の実行中に紙詰りが検出された場合に、前記紙
詰りを生じた用紙の片面への印刷内容を新たな用紙に再印刷し、当該再印刷した用紙を含
む片面印刷済みの用紙に対して前記他面への印刷処理を順次実行することを特徴とする印
刷装置。
【請求項３】
請求項２に記載の印刷装置において、
前記印刷手段は、前記他面への印刷処理の実行中に紙詰りが検出された場合に、まず前
記再印刷した用紙の他面への印刷を行い、続けて紙詰りを生じた用紙以降の他面への印刷
内容を前記給紙口にセットされた片面印刷済みの用紙の他面に対して順次印刷することを
特徴とする印刷装置。
【請求項４】
請求項２又は３に記載の印刷装置において、
前記新たな用紙への片面の再印刷後に、前記再印刷した用紙を前記給紙口にセットする
ことを指示する旨のメッセージを表示する表示手段をさらに備えることを特徴とする印刷
装置。
【請求項５】
請求項４に記載の印刷装置において、
入力操作を受け付ける操作手段をさらに備え、
前記表示手段は、前記他面への印刷処理の実行中に紙詰りが検出された場合に、前記紙
詰りを生じた用紙の片面への印刷内容を前記新たな用紙に再印刷するか否かの選択を指示
する旨のメッセージを表示し、
前記印刷手段は、前記操作手段が受け付けた入力操作に従って、前記新たな用紙に片面
の再印刷を実行するか否かを決定することを特徴とする印刷装置。
【請求項６】
請求項２乃至５のいずれか一項に記載の印刷装置において、
印刷内容を示す印刷データを前記印刷装置に供給するホスト装置と通信可能であり、
前記他面への印刷中に紙詰りが検出された場合に、前記紙詰りを生じた用紙の片面の印刷
内容を示す印刷データの送信要求を前記ホスト装置に送信し、前記送信要求に応じて前記
ホスト装置が送信した印刷データを受信するプリンタ通信手段をさらに備え、
前記印刷手段は、前記受信した印刷データに従って前記新たな用紙の片面に再印刷する
ことを特徴とする印刷装置。
【請求項７】
１又は複数の用紙への印刷内容を示す印刷データを送信するホスト装置と、前記ホスト
装置から受信した印刷データに従って、１又は複数の用紙の片面に行う印刷が完了してか
ら、ユーザが前記片面印刷済みの用紙を給紙口にセットし、前記給紙口にセットされた用
紙の他面に印刷する手動両面印刷を行う印刷装置とを含む印刷システムであって、
前記印刷装置は、
前記給紙口にセットされた用紙を給紙し、当該給紙した用紙の他面に印刷してから排紙
することによる他面への印刷処理を、前記給紙口にセットされた用紙に対して順次実行す
る印刷手段と、
前記印刷手段における前記用紙の紙詰りを検出する検出手段と、
前記他面への印刷処理の実行中に紙詰りが検出された場合に、前記紙詰りを生じた用紙
の片面の印刷内容を示す印刷データの送信要求をホスト装置に送信するプリンタ通信手段
を備え、
前記ホスト装置は、
前記印刷装置との通信を行うホスト通信手段と、
前記ホスト通信手段が前記印刷装置からの送信要求を受信すると、前記送信要求に該当
する印刷内容を示す印刷データを、前記ホスト通信手段により前記印刷装置に送信する印
刷制御手段とを備え、
前記印刷装置の印刷手段は、前記プリンタ通信手段が受信した印刷データに従って、新
たな用紙に片面の印刷内容を再印刷し、当該再印刷した用紙を含めた片面印刷済みの用紙
に対して前記他面への印刷処理を順次実行することを特徴とする印刷システム。
【請求項８】
１又は複数の用紙の片面への印刷が完了してから、ユーザが片面印刷済みの用紙を給紙
口にセットし、前記給紙口にセットされた用紙の他面に印刷する手動両面印刷を行う印刷
装置を制御する印刷制御装置であって、
前記印刷装置との通信を行うホスト通信手段と、
前記給紙口にセットされた用紙を給紙し、当該給紙した用紙の他面に印刷してから排紙
することによる他面への印刷処理の実行中に紙詰りを生じた用紙の片面の印刷内容を示す
印刷データの送信要求を、前記ホスト通信手段が前記印刷装置から受信すると、前記送信
要求に該当する印刷内容を示す印刷データを前記ホスト通信手段により送信し、前記印刷
装置に前記印刷データに従う印刷を行わせる印刷制御手段とを備えることを特徴とする印
刷制御装置。
【請求項９】
１又は複数の用紙の片面への印刷が完了してから、ユーザが片面印刷済みの用紙を給紙
口にセットし、前記給紙口にセットされた用紙の他面に印刷する手動両面印刷を行う印刷
装置を制御するためのドライバプログラムであって、
コンピュータを、
前記印刷装置との通信を行うホスト通信手段が、前記他面への印刷において紙詰りを生
じた用紙の片面の印刷内容を示す印刷データの送信要求を受信すると、前記送信要求に該
当する印刷内容を示す印刷データを前記ホスト通信手段により送信し、前記印刷装置に前
記印刷データに従う印刷を行わせる印刷制御手段として機能させることを特徴とするドラ
イバプログラム。
【請求項１０】
請求項９に記載のドライバプログラムを記録した、コンピュータ読取可能な記録媒体。
【発明の詳細な説明】
【技術分野】
【０００１】
本発明は、片面印刷を行った用紙をユーザが給紙口にセットして、他面への印刷を行う
手動両面印刷の印刷方法、印刷装置、印刷システム、印刷制御装置、ドライバプログラム
及びそのプログラムを記憶した記録媒体に関する。
【背景技術】
【０００２】
従来より、用紙節約などの観点から用紙の両面に印刷する機能を有したプリンタが知ら
れている。このようなプリンタの両面印刷方式としては、片面印刷後の用紙のハンドリン
グを印刷装置が行う自動両面印刷と、用紙のハンドリングはユーザが行う手動両面印刷と
がある。
【０００３】
前者の自動両面印刷では、用紙を機械的に反転させる機構などが必要となるため、装置
が大型化してしまうと共に機構が複雑になってしまう。
【０００４】
一方、後者の手動両面印刷によれば、用紙の反転機構を必要としないために、機構を単
純化してコストを抑えた両面印刷機能が実現可能になる。この手動両面印刷により多数の
用紙に両面印刷する場合の具体的な手順としては、まず、偶数又は奇数の印刷ページを片
面に対して順次印刷する。そして、ユーザが片面印刷済みの用紙を纏めて給紙口にセット
し、セットされた用紙の他面に未印刷の偶数又は奇数ページを順次印刷することにより、
両面印刷が行われる（例えば特許文献１参照）。
【０００５】
【特許文献１】特開２０００−１２７５２０号公報
【発明の開示】
【発明が解決しようとする課題】
【０００６】
しかしながら、上記した手動両面印刷では、他面への印刷中に紙詰りが発生して紙詰り
を生じた用紙が利用できなくなった場合、全ページの印刷結果を得るためにはユーザが紙
詰りを生じた用紙を再印刷する必要が生じる。すなわち、紙詰りを生じた用紙以降の他面
への印刷をいったん終了した後に、ユーザが紙詰りを生じた用紙のページ数を指定して同
じ印刷内容を片面に再印刷した後、再印刷した用紙の他面に再度印刷する必要がある。こ
のように、紙詰りが生じたページをユーザが指定して紙詰りに対処する必要が生じるので
、ユーザにとって操作が煩わしくなってしまうという課題がある。
【０００７】
そこで、本発明は、手動両面印刷中に紙詰りを生じた場合でも、紙詰りに対処した両面
印刷を容易に行うことができる印刷方法、印刷システム、印刷装置、印刷制御装置、ドラ
イバプログラム及びそのプログラムを記憶した記録媒体を提供することを目的とする。
【課題を解決するための手段】
【０００８】
上記課題を解決する本発明の印刷方法は、１又は複数の用紙の片面に行う印刷が完了し
てから、ユーザが片面印刷済みの用紙を給紙口にセットし、給紙口にセットされた用紙の
他面に印刷する手動両面印刷の印刷方法であって、給紙口にセットされた用紙を給紙し、
当該給紙した用紙の他面に印刷してから印刷済みの用紙を排紙する他面への印刷処理を、
給紙口にセットされた用紙に対して順次実行する第１の印刷工程と、用紙の紙詰りを検出
する検出工程と、他面への印刷処理の実行中に紙詰りが検出された場合に、紙詰りを生じ
た用紙の片面への印刷内容を新たな用紙に再印刷し、当該再印刷した用紙を含む片面印刷
済みの用紙に対して他面への印刷処理を順次実行する第２の印刷工程とを備えることを特
徴とする。
【０００９】
また、本発明の印刷装置は、１又は複数の用紙の片面に行う印刷が完了してから、ユー
ザが片面印刷済みの用紙を給紙口にセットし、給紙口にセットされた用紙の他面に印刷す
る手動両面印刷を行う印刷装置であって、給紙口にセットされた用紙を給紙し、当該給紙
した用紙の他面に印刷してから印刷済みの用紙を排紙する他面への印刷処理を、給紙口に
セットされた用紙に対して順次実行する印刷手段と、印刷手段における用紙の紙詰りを検
出する検出手段と、を備え、印刷手段は、他面への印刷処理の実行中に紙詰りが検出され
た場合に、紙詰りを生じた用紙の片面への印刷内容を新たな用紙に再印刷し、当該再印刷
した用紙を含む片面印刷済みの用紙に対して他面への印刷処理を順次実行することを特徴
とする。
【００１０】
これらの構成によれば、他面への印刷処理実行中に紙詰りが生じると、紙詰りを生じた
用紙の片面への印刷内容を新たな用紙に再印刷し、再印刷した用紙を含めた片面印刷済み
の用紙に対して他面への印刷処理を順次実行することにより、両面印刷を行うことができ
る。ユーザにとっては、他面への印刷処理実行中に紙詰りが発生しても紙詰りが生じた印
刷内容を指定する必要がないので、紙詰りに対処した両面印刷を容易に行うことができる
ようになる。
【００１１】
また、手動両面印刷する印刷内容の次に、他の印刷内容が印刷される場合の手動両面印
刷中に紙詰りが生じたとしても、他の印刷内容の印刷前に紙詰りを生じた用紙を含む両面
印刷を終えることができるので、他の印刷内容を印刷するために印刷順が変更され、両面
印刷完了のタイミングが遅れることがなくなる。
【００１２】
また、本発明の印刷装置において、印刷手段は、他面への印刷処理の実行中に紙詰りが
検出された場合に、まず再印刷した用紙の他面への印刷を行い、続けて紙詰りを生じた用
紙以降の他面への印刷内容を給紙口にセットされた片面印刷済みの用紙の他面に対して順
次印刷することが好ましい。
【００１３】
この構成によれば、紙詰りが生じた用紙の片面を再印刷し、この再印刷した用紙の他面
への印刷を行ってから、続けて紙詰りを生じた用紙以降の他面への印刷内容を片面印刷済
みの用紙の他面に印刷するので、他面への印刷中に紙詰りが生じても印刷順が変わらない
印刷結果を得ることができる。
【００１４】
また、本発明の印刷装置は、新たな用紙への片面の再印刷後に、再印刷した用紙を給紙
口にセットすることを指示する旨のメッセージを表示する表示手段をさらに備えることが
好ましい。
【００１５】
この構成によれば、他面への印刷処理中に紙詰りが発生しても、表示手段に表示された
メッセージの指示に従って、ユーザが再印刷した用紙を給紙口にセットすることにより、
再印刷した用紙の他面への印刷が行われる。したがって、ユーザはメッセージの指示に従
うことで紙詰りに対処した両面印刷を容易に行うことができる。
【００１６】
また、本発明の印刷装置は、入力操作を受け付ける操作手段をさらに備え、表示手段は
、他面への印刷処理の実行中に紙詰りが検出された場合に、紙詰りを生じた用紙の片面へ
の印刷内容を新たな用紙に再印刷するか否かの選択を指示する旨のメッセージを表示し、
印刷手段は、操作手段が受け付けた入力操作に従って、新たな用紙に片面の再印刷を実行
するか否かを決定することが好ましい。
【００１７】
この構成によれば、メッセージの指示に従って操作手段を操作することにより片面の再
印刷を実行するか否かを選択することができるので、新たな用紙に行う再印刷を必要に応
じて適宜実行することができる。例えば、紙詰りが生じた用紙がもう一度印刷可能な状態
であれば、片面の再印刷を行うことなく、紙詰りが生じた用紙の他面に印刷するようにし
て、再印刷に要する用紙やトナーなどの消耗品を節約することが可能になる。
【００１８】
また、本発明の印刷装置は、印刷内容を示す印刷データを印刷装置に供給するホスト装
置と通信可能であり、他面への印刷中に紙詰りが検出された場合に、紙詰りを生じた用紙
の片面の印刷内容を示す印刷データの送信要求をホスト装置に送信し、送信要求に応じて
ホスト装置が送信した印刷データを受信するプリンタ通信手段をさらに備え、印刷手段は
、受信した印刷データに従って新たな用紙の片面に再印刷することが好ましい。
【００１９】
この構成によれば、他面への印刷処理中に紙詰りが検出された場合に、印刷装置はホス
ト装置に紙詰りを生じた用紙の片面の印刷内容を示す印刷データをホスト装置に要求し、
要求に応じて送信された印刷データに従って新たな用紙に印刷することにより、片面の再
印刷を行うことができる。例えば、印刷装置側で再印刷する印刷内容を保持していなくと
も、片面の再印刷を行うことができるので印刷装置側で要するメモリ容量を少なくするこ
とができる。
【００２０】
さらに、本発明の印刷システムは、１又は複数の用紙への印刷内容を示す印刷データを
送信するホスト装置と、ホスト装置から受信した印刷データに従って、１又は複数の用紙
の片面に行う印刷が完了してから、ユーザが片面印刷済みの用紙を給紙口にセットし、給
紙口にセットされた用紙の他面に印刷する手動両面印刷を行う印刷装置とを含む印刷シス
テムであって、印刷装置は、給紙口にセットされた用紙を給紙し、当該給紙した用紙の他
面に印刷してから排紙することによる他面への印刷処理を、給紙口にセットされた用紙に
対して順次実行する印刷手段と、印刷手段における用紙の紙詰りを検出する検出手段と、
他面への印刷処理の実行中に紙詰りが検出された場合に、紙詰りを生じた用紙の片面の印
刷内容を示す印刷データの送信要求をホスト装置に送信するプリンタ通信手段を備え、ホ
スト装置は、印刷装置との通信を行うホスト通信手段と、ホスト通信手段が印刷装置から
の送信要求を受信すると、送信要求に該当する印刷内容を示す印刷データを、ホスト通信
手段により印刷装置に送信する印刷制御手段とを備え、印刷装置の印刷手段は、プリンタ
通信手段が受信した印刷データに従って、新たな用紙に片面の印刷内容を再印刷し、当該
再印刷した用紙を含めた片面印刷済みの用紙に対して他面への印刷処理を順次実行するこ
とを特徴とする。
【００２１】
この構成によれば、他面への印刷処理中に紙詰りが検出された場合に、印刷装置はホス
ト装置に紙詰りを生じた用紙の片面の印刷内容を示す印刷データを要求し、ホスト装置は
要求に応じた印刷データを印刷装置に送信することにより、印刷装置は受信した印刷デー
タに従って新たな用紙に片面を再印刷する。この印刷システムによれば、ユーザは紙詰り
に対処した両面印刷を容易に行うことができる。
【００２２】
また、本発明の印刷制御装置は、１又は複数の用紙の片面への印刷が完了してから、ユ
ーザが片面印刷済みの用紙を給紙口にセットし、給紙口にセットされた用紙の他面に印刷
する手動両面印刷を行う印刷装置を制御する印刷制御装置であって、印刷装置との通信を
行うホスト通信手段と、給紙口にセットされた用紙を給紙し、当該給紙した用紙の他面に
印刷してから排紙することによる他面への印刷処理の実行中に紙詰りを生じた用紙の片面
の印刷内容を示す印刷データの送信要求を、ホスト通信手段が印刷装置から受信すると、
送信要求に該当する印刷内容を示す印刷データをホスト通信手段により送信し、印刷装置
に印刷データに従う印刷を行わせる印刷制御手段とを備えることを特徴とする。
【００２３】
この構成によれば、印刷装置より受信した送信要求に応じて、該当する印刷データを送
信することにより、印刷装置に、他面への印刷処理の実行中に紙詰りを生じた用紙の片面
を再印刷させ、紙詰りに対処した両面印刷を行わせることができる。
【００２４】
さらに、本発明はプログラム及びそのプログラムを記録した記録媒体とすることができ
る。本発明のプログラムは、１又は複数の用紙の片面への印刷が完了してから、ユーザが
片面印刷済みの用紙を給紙口にセットし、給紙口にセットされた用紙の他面に印刷する手
動両面印刷を行う印刷装置を制御するためのドライバプログラムであって、コンピュータ
を、印刷装置との通信を行うホスト通信手段が、他面への印刷において紙詰りを生じた用
紙の片面の印刷内容を示す印刷データの送信要求を受信すると、送信要求に該当する印刷
内容を示す印刷データをホスト通信手段により送信し、印刷装置に印刷データに従う印刷
を行わせる印刷制御手段として機能させることを特徴とする。このドライバプログラムを
記録した記録媒体としては、フレキシブルディスクやＣＤ−ＲＯＭ、ＤＶＤ−ＲＯＭ、Ｉ
Ｃカード、メモリカードなどコンピュータが読み取り可能な種々の媒体を利用することが
できる。
【発明を実施するための最良の形態】
【００２５】
以下、本発明を具体化した一実施形態について図面を参照して説明する。
【００２６】
図１は、本実施形態に係る印刷システムの構成を示した図である。図１に示すように、
印刷システム１は、印刷装置としてのプリンタ３及びホスト装置としてのホストコンピュ
ータ２を備えており、プリンタ３とホストコンピュータ２とは相互にデータ通信可能に接
続されている。なお、本印刷システム１は、ホストコンピュータ２からの印刷要求に基づ
いて、印刷媒体である用紙の片面に印刷してから、片面を印刷済みの用紙をユーザが給紙
口にセットすることにより、給紙口にセットされた用紙の他面に印刷する手動両面印刷を
行うものである。もっとも、ここでいう用紙とは、紙に限られることなく、プリンタ３の
印刷対象となりうる他の材質の印刷媒体を含んだ概念である。
【００２７】
次に、ホストコンピュータ２のハードウェア構成を図２に示す。図２に示すように、ホ
ストコンピュータ２は、ＣＰＵ１００、ＲＯＭ１０１、ＲＡＭ１０２、ハードディスク（
ＨＤ）１０３、ＣＤ−ＲＯＭドライブ１０４、入力インターフェイス（Ｉ／Ｆ）１０５、
出力インターフェイス（Ｉ／Ｆ）１０６、及びホスト側通信インターフェイス（Ｉ／Ｆ）
１０７を備えている。入力Ｉ／Ｆ１０５にはユーザからの入力機器としてのキーボード１
０９及びマウス１１０が接続され、出力Ｉ／Ｆ１０６にはユーザへの出力機器としてのデ
ィスプレイ１１１が接続されている。ホスト側通信Ｉ／Ｆ（ホスト通信手段）１０７には
、ケーブルを介してプリンタ３が接続されている。
【００２８】
ＣＰＵ１００は、ホストコンピュータ２の各構成を制御する部分である。ＲＯＭ１０１
はホストコンピュータ２を制御するための所定のプログラムなどが記録された不揮発性の
メモリ、ＲＡＭ１０２はワーキングメモリなどとして用いる汎用のメモリである。
【００２９】
ＨＤ１０３は、アプリケーションプログラムや本発明に係るドライバプログラムなどを
記録している。なお、ドライバプログラムはＨＤ１０３に予め記録されていてもよいし、
ＣＤ−ＲＯＭ１０８などの記録媒体に記録された形態で供給され、ＣＰＵ１００がＣＤ−
ＲＯＭドライブ１０４にセットされたＣＤ−ＲＯＭ１０８からプログラムを読み出し、Ｈ
Ｄ１０３に記録するものとしてもよい。
【００３０】
そして、ＣＰＵ１００が、ＨＤ１０３に記録されたアプリケーションプログラムを読み
出して実行することによりアプリケーション部２０が機能し、ドライバプログラムを読み
出して実行することによりプリンタドライバ（印刷制御手段）３０が機能する（図１参照
）。
【００３１】
アプリケーション部２０は、文書作成ソフトウェアなどのプリンタ３に対する印刷要求
元であり、後述するようにプリンタドライバ３０から印刷条件が設定されると、アプリケ
ーション部２０は印刷要求及び印刷対象の画像データをプリンタドライバ３０に受け渡す
処理を行う。
【００３２】
プリンタドライバ３０は、印刷における各種設定、及びプリンタ３と通信しながらプリ
ンタ３を制御して両面印刷を行わせる処理を行う部分である。具体的には、印刷条件を設
定するための設定画面をディスプレイ１１１に表示させ、ユーザが操作するキーボード１
０９やマウス１１０からの入力信号に応じて、例えば、給紙口の指定、印刷枚数、手動両
面印刷の有無などの印刷条件を設定する処理を行う。そして、アプリケーション部２０に
印刷対象の画像データを要求して、設定された印刷条件及びプリンタ３が処理可能なフォ
ーマットに変換された画像データを含む印刷データを生成する処理、ホスト側通信Ｉ／Ｆ
１０７を介して印刷データを送信する処理などを行う。
【００３３】
ここで、印刷条件に手動両面印刷が設定された場合、印刷データには、表面又は裏面の
各印刷ページごとの画像データが手動両面印刷に相応しい所定の順番で含まれている。
【００３４】
例えば、１ページ目から４ページ目までの４つの印刷ページを手動両面印刷する場合に
は、プリンタドライバ３０は、各印刷ページの画像データを、４ページ目、２ページ目の
順番に含んだ印刷データを送信する。このとき、プリンタ３は、２枚の用紙のそれぞれの
片面に４ページ目、２ページ目を先に印刷する。そして、プリンタドライバ３０は、偶数
ページの印刷後に、１ページ目、３ページ目の順番に画像データを含んだ印刷データを送
信し、プリンタ３は、片面印刷済みの他面に１ページ目、３ページ目を印刷する。以下、
手動両面印刷において、先に印刷する片面への印刷処理を「１パス目の印刷」、後から印
刷する他面への印刷処理を「２パス目の印刷」と呼ぶことにする。
【００３５】
なお、印刷対象の全体のページ数が奇数であれば、両面印刷を行う際に余りのページが
生じてしまうため、プリンタドライバ３０は、空白の画像データをもつページを１つ加え
ることにより、見かけ上偶数のページを扱うものとして処理する。例えば、３ページ分の
印刷内容を手動両面印刷する場合には、３ページの画像データに空白の画像データをもつ
４ページ目を加えて、４ページ目、２ページ目、１ページ目、３ページ目の順番で印刷デ
ータを送信する。これにより１パス目の印刷において、４ページ目については給紙した用
紙に印刷することなく、２パス目の印刷においてその他面に３ページ目が印刷されること
で、両面印刷がなされる。
【００３６】
もっとも、１パス目の印刷及び２パス目の印刷に対応するページ数はこれに限られるこ
となく、１パス目の印刷で奇数ページを印刷し、２パス目の印刷で偶数ページを印刷する
ようにしてもよいし、印刷するページ順も上記例に限られるものではない。また、プリン
タドライバ３０は、１パス目の印刷用の画像データ及び２パス目の印刷用の画像データを
含む印刷データを送信して、プリンタ側で、１パス目の印刷と２パス目の印刷とに分けて
印刷制御するようにしてもよい。
【００３７】
さらに、詳細は後述するが、プリンタドライバ３０は、プリンタ３より受信した印刷デ
ータの送信要求に応じて該当する印刷ページの印刷データを送信する機能を有している。
【００３８】
プリンタ３は、ホストコンピュータ２から送信される印刷データを受信して、印刷デー
タに従って印刷を実行するものであり、図１に示すように、プリンタ３は、コントローラ
４０、印刷エンジン５０及び操作部６０を備えている。また、コントローラ４０は、ＣＰ
Ｕ４１、ＲＯＭ４２、ＲＡＭ４３、プリンタ側通信インターフェイス（Ｉ／Ｆ）４４、操
作インターフェイス（Ｉ／Ｆ）４５及びエンジンインターフェイス（Ｉ／Ｆ）４６を有し
ており、バスを介して相互にデータ通信可能に接続されている。
【００３９】
ＣＰＵ４１は、プリンタ３が行う各種処理を制御する部分であり、特に、受信した印刷
データをＲＡＭ４３に格納する処理、操作Ｉ／Ｆ４５を介して操作部６０を制御する処理
、印刷データに含まれる制御コマンドを解釈して印刷エンジン５０に対して印刷を指示す
る処理などを司る。なお、ＣＰＵ４１が実行するこれらの処理は、ＲＯＭ４２に記憶され
た制御プログラムに従って行われるものである。
【００４０】
プリンタ側通信Ｉ／Ｆ（プリンタ通信手段）４４は、ホストコンピュータ２からのケー
ブルが接続され、ホストコンピュータ２から送信される印刷データを受信する処理などホ
ストコンピュータ２とのデータ通信を行う部分である。
【００４１】
操作Ｉ／Ｆ４５に接続される操作部（操作手段）６０は、ユーザがプリンタ３を操作す
るための部分であり、図３に示すように、操作部６０は、液晶パネル（表示手段）６１、
各種設定操作を行うためのスイッチ６２〜６５、及び印刷処理の実行などを指示する印刷
可スイッチ６６などを有している。この操作部６０により、ユーザはプリンタ３に対する
印刷条件の設定など各種の設定行為が可能であると共に、後述する手動両面印刷時におけ
るメッセージの表示や印刷実行を指示するユーザからの入力操作がなされる。
【００４２】
また、ホストコンピュータ２より印刷データを受信して印刷を実行する際には、ＣＰＵ
４１はＲＡＭ４３に格納されている印刷データを読み出し、色変換処理及びスクリーン処
理を行うことにより、印刷エンジンが形成するドットに対応した画像データを生成する。
そして、ＣＰＵ４１は、生成した画像データをエンジンＩ／Ｆ４６を介して印刷エンジン
５０に受け渡す。
【００４３】
印刷エンジン（印刷手段）５０は、コントローラ４０より受け渡された画像データに従
って印刷を行う部分であり、プリンタ３側面に備わるＭＰトレイ５１、ＭＰトレイ５１上
方に備わる排紙トレイ５２、多数の用紙を収容した給紙カセット５３を、ＭＰトレイ５１
下方に着脱自在な給紙カセット装着部５４、及び印刷エンジン５０内部の用紙搬送経路上
の紙詰りを検出する紙詰り検出センサ（検出手段）５５を有している。
【００４４】
印刷エンジン５０は、ＭＰトレイ５１又は給紙カセット装着部５４に装着された給紙カ
セット５３より用紙を給紙し、用紙表面に画像データに応じてドットを形成する画像形成
を行ってから、画像形成後の用紙を、排紙トレイ５２上の排紙済みの用紙にさらに重ねる
ように排紙することで印刷を行う。なお、本実施形態では、手動両面印刷時の１パス目の
印刷における用紙の給紙口は印刷データに含まれる印刷条件に従って給紙カセット５３又
はＭＰトレイ５１のいずれかに指定され、２パス目の印刷の給紙口はＭＰトレイ５１であ
るものとする。
【００４５】
次に、手動両面印刷における１パス目の印刷及び２パス目の印刷時のプリンタの動作及
びユーザが行う操作について説明する。
【００４６】
手動両面印刷を開始すると、１パス目の印刷において、印刷データに含まれる印刷条件
に従って給紙カセット５３又はＭＰトレイ５１のうちから給紙口を指定し、指定された給
紙口から用紙を給紙する。給紙された用紙は、印刷エンジン５０内部の所定の用紙搬送経
路に沿って紙送りされ、用紙の片面に印刷が行われる。印刷後の用紙はＭＰトレイ５１の
上方に備えられた排紙口（図示なし）まで紙送りされ、排紙トレイ５２に用紙を積み重ね
るようにして排紙される。この一連の印刷処理を１パス目の印刷の各ページについて順番
に実行すると、１パス目の印刷を完了する。１パス目の印刷完了後、ユーザは、操作部６
０の液晶パネル６１やマニュアルなどに記載された所定の操作に従って排紙トレイ５２か
ら取り出された片面印刷済みの用紙をＭＰトレイ５１にセットする。
【００４７】
２パス目の印刷では、印刷エンジン５０は、ＭＰトレイ５１にセットされた用紙を重ね
られた上側の用紙から順番に給紙して、片面印刷された用紙の他面に、２パス目の対象ペ
ージを順番に印刷する。こうして２パス目の印刷の各ページについて他面への印刷を行う
と、２パス目の印刷を完了する。
【００４８】
しかしながら、２パス目の印刷中に紙詰りを生じた場合には、１パス目の印刷により片
面を印刷した用紙が紙詰りにより使用できなくなることがある。そこで、本実施形態のプ
リンタ３は、２パス目の印刷中に紙詰り検出センサ５５により紙詰りが検出された場合に
、紙詰りの生じたページのみについて必要に応じて１パス目の再印刷を行ってから、当該
再印刷後の用紙を含めた片面印刷済みの用紙に対して、２パス目の印刷を再開するように
印刷制御することに特徴がある。
【００４９】
以下、印刷システム１が行う処理について図４のフローチャートに従って詳細に説明す
る。なお、以下に説明するステップＳ１０５〜ステップＳ１２５、ステップＳ１３５〜ス
テップＳ１６０、並びに後述する図６に示す、ステップＳ２００〜ステップＳ２２０及び
ステップＳ２３０〜ステップＳ２４５は、プリンタ３が行う処理であり、ステップＳ１０
０、ステップＳ１３０及びステップＳ２２５は、ホストコンピュータ２のＣＰＵ１００が
ドライバプログラムを実行することにより、プリンタドライバ３０として行う処理である
。
【００５０】
ホストコンピュータ２のプリンタドライバ３０がディスプレイ１１１に印刷条件設定画
面を表示して、印刷ページ数や給紙口など手動両面印刷に関する印刷条件をユーザに設定
させ、手動両面印刷の印刷要求が発せられると、図４に示す処理を開始する。
【００５１】
処理を開始すると、プリンタドライバ３０は、まず、１パス目の印刷用の印刷データを
生成して、印刷データをホスト側通信Ｉ／Ｆ１０７を介してプリンタ３に送信する（ステ
ップＳ１００）。プリンタ３がプリンタ側通信Ｉ／Ｆ４４を介して印刷データを受信する
と、ＣＰＵ４１は受信した印刷データをＲＡＭ４３に格納する（ステップＳ１０５）。
【００５２】
次に、ＣＰＵ４１は、ＲＡＭ４３に格納された１パス目の印刷用の印刷データを用いて
印刷エンジン５０に１パス目の印刷を実行させる。そのため、ＣＰＵ４１は、印刷ページ
１頁分の印刷データより印刷エンジン５０に対応する画像データを生成して、給紙口など
を指定した制御データと共に画像データを印刷エンジン５０に受け渡す。印刷エンジン５
０は、指定された給紙口（給紙カセット５３又はＭＰトレイ５１）から用紙を給紙して、
用紙表面に受け取った画像データに従って画像を形成するようにして印刷を行う。印刷後
の用紙を排紙トレイ５２に排出することにより、１パス目の印刷における１ページ分の印
刷処理が行われる（ステップＳ１１０）。
【００５３】
次に、ＣＰＵ４１は、印刷データに含まれる１パス目の印刷枚数とステップＳ１１０に
て印刷された用紙の枚数とを比較して、１パス目の印刷が終了したか否かを判断する（ス
テップＳ１１５）。印刷された用紙の枚数が設定された１パス目の印刷枚数に達していな
ければ（ステップＳ１１５：Ｎｏ）ステップＳ１１０に戻って次の用紙に印刷処理を行い
、１パス目の印刷枚数に達していれば（ステップＳ１１５：Ｙｅｓ）１パス目の印刷が終
了したと判断してステップＳ１２０に進む。
【００５４】
ステップＳ１２０に処理が進むと、ＣＰＵ４１は、排紙トレイ５２に排紙された片面印
刷済の用紙をユーザにＭＰトレイ５１にセットさせる指示を出す。具体的には、操作部６
０の液晶パネル６１に、図５（ａ）に例として示すメッセージを表示させ、ホストコンピ
ュータ２側のプリンタドライバ３０に図５（ｂ）に例として示すメッセージをディスプレ
イ１１１に表示させることにより手動両面印刷であることをユーザに知らせる。図５（ａ
）又は（ｂ）のメッセージを確認したユーザは、メッセージ又はマニュアルなどに記載さ
れた操作方法に従って、片面印刷済みの用紙をＭＰトレイ５１にセットし、用紙のセット
後に印刷可スイッチ６６を押下する操作を行う。
【００５５】
次に、ＣＰＵ４１は、プリンタ側通信Ｉ／Ｆ４４を介してホストコンピュータ２に２パ
ス目の印刷用の印刷データを送信するよう送信要求を出す（ステップＳ１２５）。ホスト
コンピュータ２のプリンタドライバ３０（ＣＰＵ１００）は、この送信要求を受けると２
パス目に印刷するページの印刷データをホスト側通信Ｉ／Ｆ１０７を介してプリンタ３に
送信する（ステップＳ１３０）。そして、プリンタ側通信Ｉ／Ｆ４４が２パス目の印刷用
の印刷データを受信すると、プリンタのＣＰＵ４１は受信した印刷データをＲＡＭ４３に
格納する（ステップＳ１３５）。
【００５６】
次に、ＣＰＵ４１は、印刷可スイッチ６６が押下されたか否かを判断する（ステップＳ
１４０）。用紙のセット中であった場合などまだ印刷可スイッチ６６が押下されていなけ
れば（ステップＳ１４０：Ｎｏ）、所定の時間経過後に再びステップＳ１４０の判断を行
う。ユーザがステップＳ１２０にて表示されたメッセージに従って、用紙のセット後に印
刷可スイッチ６６を押下すると（ステップＳ１４０：Ｙｅｓ）、ステップＳ１４５に進ん
で、２パス目の印刷を開始する。
【００５７】
ステップＳ１４５に処理が進むと、ＣＰＵ４１は、ＲＡＭ４３に格納された２パス目の
印刷用の印刷データに従って印刷エンジン５０に２パス目の印刷を実行させる。そのため
、ＣＰＵ４１は、印刷ページ１頁分の印刷データより印刷エンジン５０に対応する画像デ
ータを生成して、ＭＰトレイ５１を給紙口に指定した制御データと共に画像データを印刷
エンジン５０に受け渡す。印刷エンジン５０は、ＭＰトレイ５１から用紙を給紙して、受
け取った画像データに従って用紙表面に画像を形成するようにして印刷を行う。そして、
印刷後の用紙を排紙トレイ５２に排出することにより当該ページについて２パス目の印刷
における１ページ分の印刷処理（他面への印刷処理）が行われる。
【００５８】
次に、ＣＰＵ４１は、ステップＳ１４５における２パス目の印刷処理中に、紙詰り検出
センサ５５により紙詰りが検出されたか否かを判断する（ステップＳ１５０）。紙詰りが
検出されていれば（ステップＳ１５０：Ｙｅｓ）、ステップＳ１５５に進んで本発明の特
徴部分である紙詰り対応処理を行う。紙詰りが検出されていなければ（ステップＳ１５０
：Ｎｏ）、紙詰り対応処理を行うことなくステップＳ１６０に進む。なお、ステップＳ１
５０で行う判断については、ステップＳ１４５の２パス目の印刷処理中に紙詰り検出セン
サ５５が紙詰りを検出したときに発生する割り込み処理によりステップＳ１５５の紙詰り
対応処理に進むようにしてもよい。
【００５９】
以下、図６のフローチャートに従って紙詰り対応処理について説明する。紙詰り対応処
理を開始すると、まず、プリンタ３はユーザに対して紙詰り発生通知を行う（ステップＳ
２００）。具体的には、ＣＰＵ４１が図７（ａ）に例として示すメッセージを操作部６０
の液晶パネル６１に表示させ、ホストコンピュータ２側のプリンタドライバ３０に図７（
ｂ）に例として示すメッセージをディスプレイ１１１に表示させる。これらのメッセージ
により、紙詰りが生じたために正常に印刷できなかったことをユーザに通知し、紙詰りを
生じた用紙をプリンタ３より取り出して紙詰りを解消するよう促す。
【００６０】
次に、ＣＰＵ４１はプリンタ３が印刷可能な状態に復帰したか否かを判断する（ステッ
プＳ２０５）。プリンタ３が印刷可能な状態に復帰していなければ（ステップＳ２０５：
Ｎｏ）、所定の時間経過後にステップＳ２０５の判断を繰り返し行う。ステップＳ２００
にて表示されたメッセージ及びマニュアルに記載された紙詰りの解消方法などに従って、
ユーザが紙詰りを生じた用紙をプリンタ３から取り出すようにして、紙詰り検出センサ５
５が紙詰りが解消したことを検出すると、プリンタ３が印刷可能な状態に復帰したと判断
して（ステップＳ２０５：Ｙｅｓ）、ステップＳ２１０に進む。
【００６１】
ステップＳ２１０に処理が進むと、ＣＰＵ４１は、ユーザに、紙詰りを生じたページの
再印刷を行うかを選択させるための指示を出す。具体的には、ＣＰＵ４１は、図８（ａ）
に例として示すメッセージを操作部６０の液晶パネル６１に表示させ、ホストコンピュー
タ２側のプリンタドライバ３０に図８（ｂ）に例として示すメッセージをディスプレイ１
１１に表示させる。これらのメッセージにより、紙詰りを生じたページの表面（１パス目
）を再印刷するか否かをユーザに選択させる。例えば、紙詰りが生じても、プリンタ３よ
り取り出した用紙が印刷可能な状態であれば再印刷は不要であるが、取り出した用紙が印
刷不可能な状態であれば再印刷する必要が生じる。ユーザは、操作部６０あるいはホスト
コンピュータ側のキーボード１０９又はマウス１１０あるいは操作部６０を操作して、再
印刷するか否かを選択する。
【００６２】
次に、ＣＰＵ４１は、ユーザが操作部６０に入力した操作に従って再印刷を行うか否か
を判断する（ステップＳ２１５）。ステップＳ２１０にて表示されたメッセージに従って
、ユーザより再印刷を行う旨の操作を受け付けていれば（ステップＳ２１５：Ｙｅｓ）、
ステップＳ２２０に進んで再印刷を行う。ユーザより再印刷を行わない旨の操作を受け付
けていれば（ステップＳ２１５：Ｎｏ）、再印刷を行うことなく紙詰り対応処理を終了し
て、図４のフローチャートに戻りステップＳ１６０の処理に進む。
【００６３】
再印刷を行う場合、ステップＳ２２０に処理が進んで、ＣＰＵ４１は、プリンタ側通信
Ｉ／Ｆ４４を介してホストコンピュータ２に、紙詰りを生じた１ページ分だけについて１
パス目の印刷を行うための印刷データを送信するよう送信要求を出す。ホストコンピュー
タ２のプリンタドライバ３０（ＣＰＵ１００）は、送信要求を受けると該当するページの
印刷データを生成して、ホスト側通信Ｉ／Ｆ１０７を介してプリンタ３に送信する（ステ
ップＳ２２５）。プリンタ側通信Ｉ／Ｆ４４が印刷データを受信すると、プリンタ３のＣ
ＰＵ４１は受信した印刷データをＲＡＭ４３に格納する（ステップＳ２３０）。
【００６４】
次に、ＣＰＵ４１は、受信した１ページ分の印刷データより印刷エンジン５０に対応す
る画像データを生成して、給紙カセット５３を給紙口に指定した制御データと共に画像デ
ータを印刷エンジン５０に受け渡す。印刷エンジン５０は、給紙カセット５３から１枚の
用紙を給紙して、受け取った画像データに従って用紙表面に画像を形成するようにして印
刷を行う。印刷後の用紙を排紙トレイ５２に排出することにより１ページ分の再印刷が行
われる（ステップＳ２３５）。
【００６５】
次に、ＣＰＵ４１は、ユーザに、ステップＳ２３５にて印刷した片面再印刷済みの用紙
をＭＰトレイ５１にセットさせる指示を出す（ステップＳ２４０）。具体的には、ＣＰＵ
４１は、図９（ａ）に例として示すメッセージを操作部６０の液晶パネルに表示させ、ホ
ストコンピュータ２側のプリンタドライバ３０に図９（ｂ）に例として示すメッセージを
ディスプレイ１１１に表示させる。ユーザは、メッセージ又はマニュアルに従って、排紙
トレイ５２に排出された片面印刷済みの用紙を、ＭＰトレイ５１にセットされた片面印刷
済みの用紙の上側に重ねてセットし、セット後に印刷可スイッチ６６を押下する。
【００６６】
次に、ＣＰＵ４１は、ステップＳ２４０にて表示されたメッセージに従ってユーザが印
刷可スイッチ６６を押下したか否かを判断することにより、２パス目の印刷を再開するか
否かを判断する（ステップＳ２４５）。印刷可スイッチ６６が押下されていなければ（ス
テップＳ２４５：Ｎｏ）、所定の時間経過後にステップＳ２４５の判断を繰り返し行う。
印刷可スイッチ６６が押下されると（ステップＳ２４５：Ｙｅｓ）、ステップＳ２３５に
て印刷した用紙がＭＰトレイ５１にセットされ、２パス目の印刷を再開する準備が整った
と判断して、紙詰り対応処理を終了する。
【００６７】
ステップＳ２１５又はステップＳ２４５において紙詰り対応処理を終了すると、図４の
フローチャートに戻って、ＣＰＵ４１は、印刷データに含まれる２パス目の印刷枚数の情
報と、２パス目の印刷が行われた用紙の枚数とを比較して、２パス目の印刷が終了したか
否かを判断する（ステップＳ１６０）。印刷済みの枚数が２パス目の印刷枚数に達してい
なければ（ステップＳ１６０：Ｎｏ）ステップＳ１４５に戻って次の用紙に印刷を行い、
印刷済みの枚数が２パス目の印刷枚数に達していれば（ステップＳ１６０：Ｙｅｓ）、２
パス目の印刷が終了したと判断して、図４のフローチャートに示した処理を終了する。
【００６８】
なお、ステップＳ１２０からステップＳ１４５までの処理が請求項に記載の第１の印刷
工程、ステップＳ１５０が請求項に記載の検出工程、ステップＳ１５５及びステップＳ１
５５を実行してから行うステップＳ１４５の処理が請求項に記載の第２の印刷工程に相当
する。
【００６９】
以下、本実施形態の効果を記載する。
【００７０】
（１）２パス目の印刷中に紙詰りが発生しても、操作部６０又はディスプレイ１１１に
表示されるメッセージに従って操作することで、紙詰りが生じたページを改めて指定する
ことなく、簡単な操作で容易に再印刷することができる。また、再印刷した用紙はメッセ
ージに従ってＭＰトレイ５１にセットされた用紙に重ねてセットすることで２パス目の印
刷を継続して行うことができる。したがって、紙詰りに対応した両面印刷を容易に行うこ
とが可能となる。
【００７１】
（２）２パス目の印刷中に紙詰りを生じた場合に、次のページを印刷する前のタイミン
グで片面を再印刷して、再印刷後の用紙をＭＰトレイ５１にセットされた用紙の上側に重
ねるようにセットしてから、ＭＰトレイ５１にセットされた用紙に対して２パス目の印刷
を再開した。したがって、２パス目の印刷中に紙詰りが発生しても、再印刷した用紙の順
番を並び替えてセットすることなく、簡単な操作で印刷物のページ順を変更することがな
い印刷結果を得ることができる。
【００７２】
（３）手動両面印刷用の印刷データの次に処理するための他の印刷データがＲＡＭ４３
に格納されている場合の手動両面印刷中に紙詰りが生じたとしても、他の印刷データの印
刷の実行前に１パス目及び２パス目の印刷を終えることができるので、紙詰りを生じたペ
ージの再印刷に先立って他の印刷データの印刷がなされるために、両面印刷完了のタイミ
ングが遅れることがなくなる。
【００７３】
（４）紙詰りを生じた用紙が再印刷できる場合など再印刷の必要がないときには、ユー
ザの選択により、片面の再印刷を行うことなく紙詰りを生じた用紙を再利用して両面印刷
を行うことが可能であるので、用紙やトナーなどの消耗品を節約することができる。
【００７４】
以上、本発明の一実施形態を説明したが、本発明はこうした実施の形態に何ら限定され
るものではなく、本発明の趣旨を逸脱しない範囲内において様々な形態で実施することも
できる。以下、変形例を挙げて説明する。
【００７５】
（変形例１）上記実施形態では、紙詰りを生じたときにメッセージを表示してユーザに
再印刷するかを選択させるようにしたが、２パス目の印刷中の紙詰り発生後にユーザによ
り紙詰りした用紙が取り出され、プリンタ３が印刷可能な状態に復帰したタイミングで、
ユーザの選択を待つことなく、紙詰りを生じたページの再印刷を行うようにしてもよい。
【００７６】
（変形例２）上記実施形態では、紙詰りを生じた１ページ分だけを再印刷することとし
たが、複数枚の片面印刷済みの用紙に紙詰りを生じた場合には、紙詰りに該当する複数枚
のページについて再印刷してもよい。例えば、１ページ目から４ページ目までの４つの印
刷ページの手動両面印刷において、４ページ目を片面印刷済みの用紙と２ページ目を片面
印刷済みの用紙とが重なった状態で給紙されたために両方の用紙に紙詰りを生じた場合、
２枚の新たな用紙に４ページ目、２ページ目を順番に再印刷して、再印刷後の２枚の用紙
をＭＰトレイ５１にセットしてから、２パス目の印刷を再開すればよい。
【００７７】
（変形例３）上記実施形態では、ホストコンピュータ２からプリンタ３に印刷データが
供給される例について説明したが、例えば、プリンタ３にメモリカードなどの記録媒体が
着脱可能になっており、メモリカードに記録された画像データからプリンタ３が手動両面
印刷用の印刷データを生成するようにしてもよい。
【００７８】
（変形例４）本発明は、プリンタに限られることなく、複写機やファックスに適用する
こともできる。
【図面の簡単な説明】
【００７９】
【図１】本実施形態に係る印刷システムの構成を示した構成図。
【図２】ホストコンピュータのハードウェア構成を示した構成図。
【図３】操作部の構成を示した構成図。
【図４】手動両面印刷の処理手順を示したフローチャート。
【図５】ユーザインターフェイス画面を示した図、（ａ）はプリンタ側の表示例、（ｂ）はホストコンピュータ側の表示例を示した図。
【図６】紙詰り対応処理の処理手順を示したフローチャート。
【図７】ユーザインターフェイス画面を示した図、（ａ）はプリンタ側の表示例、（ｂ）はホストコンピュータ側の表示例を示した図。
【図８】ユーザインターフェイス画面を示した図、（ａ）はプリンタ側の表示例、（ｂ）はホストコンピュータ側の表示例を示した図。
【図９】ユーザインターフェイス画面を示した図、（ａ）はプリンタ側の表示例、（ｂ）はホストコンピュータ側の表示例を示した図。
【符号の説明】
【００８０】
１…印刷システム、２…ホスト装置、印刷制御装置としてのホストコンピュータ、３…
印刷装置としてのプリンタ、２０…アプリケーション部、３０…印刷制御手段としてのプ
リンタドライバ、４０…コントローラ、４１…ＣＰＵ、４２…ＲＯＭ、４３…ＲＡＭ、４
４…プリンタ通信手段としてのプリンタ側通信インターフェイス、４５…操作インターフ
ェイス、４６…エンジンインターフェイス、５０…印刷手段としての印刷エンジン、５１
…ＭＰトレイ、５２…排紙トレイ、５３…給紙カセット、５４…給紙カセット装着部、５
５…検出手段としての紙詰り検出センサ、６０…操作手段としての操作部、６１…表示手
段としての液晶パネル、６２〜６５…スイッチ、６６…印刷可スイッチ、１００…ＣＰＵ
、１０１…ＲＯＭ、１０２…ＲＡＭ、１０３…ハードディスク、１０４…ＣＤ−ＲＯＭド
ライブ、１０５…入力インターフェイス、１０６…出力インターフェイス、１０７…ホス
ト通信手段としてのホスト側通信インターフェイス、１０８…ＣＤ−ＲＯＭ、１０９…キ
ーボード、１１０…マウス、１１１…ディスプレイ。
【図１】
2007307850.tif 000003
【図２】
2007307850.tif 000004
【図３】
2007307850.tif 000005
【図４】
2007307850.tif 000006
【図５】
2007307850.tif 000007
【図６】
2007307850.tif 000008
【図７】
2007307850.tif 000009
【図８】
2007307850.tif 000010
【図９】
2007307850.tif 000011